【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
複数のビューを同時に表示するディスプレイ画面と、
前記ディスプレイ画面上に提示される前記複数のビューを制御するコントローラと、
フォーマットが異なり得る複数の映像データストリームを、１つ又はそれ以上のソースから受け取る複数の入力と、
前記複数の映像データストリームを共通フォーマットに変換する整列手段と、を備える装置であって、
前記コントローラによって複数のビュー設定が提供されるように構成され、前記複数のビュー設定は、前記装置が単一ビューを前記ディスプレイ画面のそれぞれの視聴者へ提供する第１設定と、前記装置が第１の映像データストリームから生成される第１ビューを前記ディスプレイ画面の第１視聴者へ、第２の映像データストリームから生成される第２ビューを前記ディスプレイ画面の第２視聴者へ提供する第２設定とを含んでおり、
第１フィルタリング要素が、前記ディスプレイ画面の視聴者へ提示されるビューをフィルタリングして、意図されたビューが１人又はそれ以上の視聴者へ表示されるようにしている、装置。
【請求項２】
前記第２設定において、
前記第１フィルタリング要素が、前記第１視聴者へ提示される前記ビューをフィルタリングして、前記第１ビューが前記第１視聴者へ表示され、前記第２ビューは前記第１視聴者から見えなくされるようにし、
第２フィルタリング要素が、前記第２視聴者へ提示される前記ビューをフィルタリングして、前記第２ビューが前記第２視聴者へ表示され、前記第１ビューは前記第２視聴者から見えなくされるようにしている、請求項１に記載の装置。
【請求項３】
前記第１設定は、同じ三次元（３Ｄ）ビューをそれぞれの視聴者へ提供し、前記第２設定は、第１の二次元（２Ｄ）ビューを前記第１視聴者へ提供し、及び、第２の２Ｄビューを前記第２視聴者へ提供している、請求項１に記載の装置。
【請求項４】
信号を前記第１フィルタリング要素へ送信する送信器を更に備えている、請求項１に記載の装置。
【請求項５】
前記第１フィルタリング要素への前記信号は、前記第１フィルタリング要素に命令して前記意図されたビューを切り換えさせる、請求項４に記載の装置。
【請求項６】
信号を前記第１フィルタリング要素から受信する受信器を更に備えている、請求項１に記載の装置。
【請求項７】
前記第１フィルタリング要素からの前記信号は、当該第１フィルタ要素の状態を提供している、請求項６に記載の装置。
【請求項８】
フォーマットが異なり得る複数の映像データストリームを、１つ又はそれ以上のソースから受け取る処理、
前記複数の映像データストリームのフォーマットを共通フォーマットにするよう要求する処理、
前記複数の映像データストリームに基づいて複数の画像を生成する処理、
前記複数の画像を第１ディスプレイ画面上に投影する処理と、
前記第１ディスプレイ画面上の複数画像を１人又はそれ以上の視聴者へ提供する処理とを含む方法であって、
前記複数画像を提供する処理は、単一画像を前記第１ディスプレイ画面の全視聴者へ提供するための第１設定と、第１画像を第１視聴者へ提供し及び第２画像を第２視聴者へ提供するための第２設定とを含み、
前記複数画像を提供する処理は、前記第１ディスプレイ画面によって投影された前記複数画像をフィルタリングして当該複数画像を視聴用に分離することを含む、方法。
【請求項９】
前記第２設定では、前記第２画像は前記第１視聴者から実質的に見えなくされ、前記第１画像は前記第２視聴者から実質的に見えなくされる、請求項８に記載の方法。
【請求項１０】
前記第１設定において提供される前記画像は三次元（３Ｄ）画像であり、
前記第２設定において、前記第１画像は第１の二次元（２Ｄ）画像であり、前記第２画像は第２の２Ｄ画像である、請求項８に記載の方法。
【請求項１１】
複数の画像を表示するためのディスプレイ画面と、
フォーマットが異なり得る複数の映像データストリームを、１つ又はそれ以上のソースから受け取る複数の入力と、
前記複数の映像データストリームを共通フォーマットに変換する整列手段と、
前記複数の画像を前記ディスプレイ画面へ提供する信号要素と、
前記複数の画像の前記表示を制御するためのコントローラを含んでいる制御ユニットであって、同じ画像を前記ディスプレイ画面の全視聴者へ提供するための第１設定と、第１の映像データストリームから生成される第１画像を第１視聴者へ提供し及び第２の映像データストリームから生成される第２画像を第２視聴者へ提供するための第２設定とを含む当該制御ユニットと、
前記ディスプレイ画面上に表示される前記複数の画像をフィルタリングする１つ又はそれ以上のフィルタ要素と、を備えているシステム。
【請求項１２】
前記制御ユニットは、前記第１設定と前記第２設定の間で動的に切り換える、請求項１１に記載のシステム。
【請求項１３】
第１フィルタ要素は第１ユーザー用の眼鏡一式である、請求項１１に記載のシステム。
【請求項１４】
前記眼鏡は、当該眼鏡を前記第１画像用の設定と前記第２画像用の設定の間で切り換えるためのスイッチを含んでいる、請求項１３に記載のシステム。
【請求項１５】
前記スイッチは前記眼鏡のユーザーによって設定される、請求項１４に記載のシステム。
【請求項１６】
前記眼鏡は受信器を含み、前記制御ユニットは送信器を含んでおり、前記スイッチは、前記コントローラによって前記送信器を介して送信され前記眼鏡によって前記受信器を介して受信された信号に応答して設定される、請求項１４に記載のシステム。
【請求項１７】
前記眼鏡は、当該眼鏡の状態を検知する１つ又はそれ以上のセンサーを含んでいる、請求項１３に記載のシステム。
【請求項１８】
前記眼鏡は、当該眼鏡の前記状態に関するデータを送信する送信器を含み、前記制御ユニットは、前記眼鏡の前記状態に関する前記データを受信する受信器を含んでいる、請求項１７に記載のシステム。
【請求項１９】
第１フィルタ要素は前記ディスプレイ画面のためのフィルタである、請求項１１に記載のシステム。
【請求項２０】
前記第１画像と前記第２画像は、異なった偏光を用いて偏光された画像であり、第１フィルタ要素は偏光フィルタを含んでいる、請求項１１に記載のシステム。
【請求項２１】
前記第１画像と前記第２画像は、期間を交互して提示され、
第１フィルタ要素は、前記第１ビューの期間中は開き、前記第２ビューの期間中は閉じるシャッターを含んでいる、請求項１１に記載のシステム。
【請求項２２】
前記第１ビューと前記第２ビューは異なった色を利用しており、第１フィルタ要素は色フィルタを含んでいる、請求項１１に記載のシステム。
【請求項２３】
一連の命令をあらわすデータを記憶したコンピュータ読み取り可能な記録媒体であって、前記命令は、プロセッサによって実行されるとき、当該プロセッサに、
フォーマットが異なり得る複数の映像データストリームを、１つ又はそれ以上のソースから受け取る処理と、
前記１つ又はそれ以上のソースの前記複数の映像データストリームを共通フォーマットで提供するよう要求する処理と、
前記複数の映像データストリームに基づいて複数の画像を生成する処理と、
第１ディスプレイ画面上に表示させる前記複数の画像のためのデータを提供する処理と、
１つ又はそれ以上のフィルタ要素に命令して、前記第１ディスプレイ画面によって投影される複数画像をフィルタリングさせる処理であって、
複数画像のフィルタリングは、１人又はそれ以上のユーザーによる視聴を提供するために前記複数画像を分離することを含み、
前記複数画像の視聴を提供することは、単一画像を前記第１ディスプレイ画面の全視聴者へ提供するための第１設定と、第１画像を第１視聴者へ提供し及び第２画像を第２視聴者へ提供するための第２設定とを含む当該処理と、
を実行させるコンピュータ読み取り可能な記録媒体。
【請求項２４】
前記第１設定において提供される前記画像は三次元（３Ｄ）画像であり、前記第２設定において、前記第１画像は第１の二次元（２Ｄ）画像、及び前記第２画像は第２の２Ｄ画像である、請求項２３に記載のコンピュータ読み取り可能な記録媒体。
【請求項２５】
前記複数の映像データストリームを共通フォーマットに変換する前記整列手段は、一次入力を選択する手段、前記一次入力のフォーマットである一次入力フォーマットを観察する手段、前記一次入力フォーマットを前記一次入力以外の入力に通知する手段、を含む、
請求項１に記載の装置。
【請求項２６】
前記複数の映像データストリームを共通フォーマットに変換する前記整列手段は、１つ又はそれ以上の、共通解像度、共通フレームレート、又は共通インターレースステータスを要求する、
請求項１に記載の装置。
【請求項２７】
前記複数の映像データストリームのフォーマットを共通フォーマットに変換するよう要求する処理は、
一次入力を選択し、当該一次入力のフォーマットである一次入力フォーマットを観察する処理と、
前記一次入力以外の入力のアンプラグイベントを生成またはシミュレートする処理と、
前記一次入力フォーマットを前記一次入力以外の入力に通知する処理と、
前記一次入力以外の入力のプラグインイベントを生成またはシミュレートする処理と、を含む
請求項８に記載の方法。
【請求項２８】
定義されたデフォルトフォーマットを複数の前記ソースに送信させる手段と、
前記複数のソースのいずれかが入力に送信したデフォルトフォーマットが前記一次入力フォーマットでない場合、当該入力に送信される映像の処理を拒絶、或いは、全ての入力に対して前記デフォルトフォーマットによる入力を強制する、
請求項２６に記載の方法。
【請求項２９】
前記１つ又はそれ以上のソースに前記映像データストリームを共通フォーマットで提供するよう要求する前記整列手段は、
初期入力を選択し、
前記初期入力の初期入力フォーマットを観察し、
前記初期入力フォーマットを前記初期入力以外の入力に通知する、
請求項１１に記載のシステム。
【手続補正２】
【補正対象書類名】明細書
【補正対象項目名】００９２
【補正方法】変更
【補正の内容】
【００９２】
実施形態は本発明の一実装又は一例である。明細書で、「或る実施形態」、「１つの実施形態」、「幾つかの実施形態」、又は「他の実施形態」という言及があった場合、それは、当該実施形態と関連付けて記載されている特定の機構、構造、又は形質が、必ずしも全ての実施形態というわけではないが少なくとも幾つかの実施形態に含まれていることを意味する。「或る実施形態」、「１つの実施形態」、又は「幾つかの実施形態」と様々に登場しているが、それらは必ずしもどれもが同じ実施形態を指しているとは限らない。本発明の例示としての実施形態の以上の記述の中で、本発明の様々な特徴は、開示の合理化及び様々な発明態様の１つ又はそれ以上の理解を支援することを目的に、時には、単一の実施形態、図、又はその記述の中で一体にまとめられていることもあるものと理解されたい。
以下、参考形態の例を付記する。
１．
複数のビューを同時に表示するディスプレイ画面と、
前記ディスプレイ画面上に提示される前記複数のビューを制御するコントローラと、を備える装置であって、
前記コントローラによって複数のビュー設定が提供されるように構成され、前記ビュー設定は、前記装置が単一ビューを前記ディスプイ画面のそれぞれの視聴者へ提供する第１設定と、前記装置が第１ビューを前記ディスプレイ画面の第１視聴者へ、第２ビューを前記ディスプレイ画面の第２視聴者へ提供する第２設定とを含んでおり、
第１フィルタリング要素が、前記ディスプレイ画面の視聴者へ提示されるビューをフィルタリングして、意図されたビューが１人又はそれ以上の視聴者へ表示されるようにしている、装置。
２．
前記第２設定において、
前記第１フィルタ要素が、前記第１視聴者へ提示される前記ビューをフィルタリングして、前記第１ビューが前記第１視聴者へ表示され、前記第２ビューは前記第１視聴者から見えなくされるようにし、
第２フィルタリング要素が、前記第２視聴者へ提示される前記ビューをフィルタリングして、前記第２ビューが前記第２視聴者へ表示され、前記第１ビューは前記第２視聴者から見えなくされるようにしている、１．に記載の装置。
３．
前記第１設定は、同じ三次元（３Ｄ）ビューをそれぞれの視聴者へ提供し、前記第２設定は、第１の二次元（２Ｄ）ビューを前記第１視聴者へ提供し、及び、第２の２Ｄビューを前記第２視聴者へ提供している、１．に記載の装置。
４．
信号を前記第１フィルタリング要素へ送信する送信器を更に備えている、１．に記載の装置。
５．
前記第１フィルタリング要素への前記信号は、前記第１フィルタリング要素に命令して前記意図されたビューを切り換えさせる、４．に記載の装置。
６．
信号を前記第１フィルタリング要素から受信する受信器を更に備えている、１．に記載の装置。
７．
前記第１フィルタリング要素からの前記信号は、当該第１フィルタ要素の状態を提供している、６．に記載の装置。
８．
前記第１ビューは第１の映像データストリームによって提供され、前記第２ビューは第２の映像データストリームによって提供されている、１．に記載の装置。
９．
前記第１の映像データストリームと前記第２の映像データストリームとを整列させる整列要素を更に備えている、１．に記載の装置。
１０．
複数の画像を第１ディスプレイ画面上に投影する処理と、
前記第１ディスプレイ画面上の複数画像を１人又はそれ以上の視聴者へ提供する処理とを含む方法であって、
前記複数画像を提供する処理は、単一画像を前記第１ディスプレイ画面の全視聴者へ提供するための第１設定と、第１画像を第１視聴者へ提供し及び第２画像を第２視聴者へ提供するための第２設定とを含み、
前記複数画像を提供する処理は、前記第１ディスプレイ画面によって投影された前記複数画像をフィルタリングして当該複数画像を視聴用に分離することを含む、方法。
１１．
前記第２設定では、前記第２画像は前記第１ユーザーから実質的に見えなくされ、前記第１画像は前記第２ユーザーから実質的に見えなくされる、１０．に記載の方法。
１２．
前記第１設定において提供される前記画像は三次元（３Ｄ）画像であり、
前記第２設定において、前記第１画像は第１の二次元（２Ｄ）画像であり、前記第２画像は第２の２Ｄ画像である、１０．に記載の方法。
１３．
画像データのための複数の入力のそれぞれに、提示のための互換性のあるフォーマットを有することを求める処理を更に含む、１０．に記載の方法。
１４．
複数の画像を表示するためのディスプレイ画面と、
前記複数の画像を前記ディスプレイ画面へ提供する信号要素と、
前記複数の画像の前記表示を制御するためのコントローラを含んでいる制御ユニットであって、同じ画像を前記ディスプレイ画面の全視聴者へ提供するための第１設定と、第１画像を第１視聴者へ提供し及び第２画像を第２視聴者へ提供するための第２設定とを含む当該制御ユニットと、
前記ディスプレイ画面上に表示される前記複数画像をフィルタリングする１つ又はそれ以上のフィルタ要素と、を備えているシステム。
１５．
前記制御ユニットは、前記第１設定と前記第２設定の間で動的に切り換える、１４．に記載のシステム。
１６．
前記第１フィルタ要素は第１ユーザー用の眼鏡一式である、１４．に記載のシステム。
１７．
前記眼鏡は、当該眼鏡を前記第１画像用の設定と前記第２画像用の設定の間で切り換えるためのスイッチを含んでいる、１６．に記載のシステム。
１８．
前記スイッチは前記眼鏡のユーザーによって設定される、１７．に記載のシステム。
１９．
前記眼鏡は受信器を含み、前記制御ユニットは送信器を含んでおり、前記スイッチは、前記コントローラによって前記送信器を介して送信され前記眼鏡によって前記受信器を介して受信された信号に応答して設定される、１７．に記載のシステム。
２０．
前記眼鏡は、当該眼鏡の状態を検知するもう１つの複数センサーを含んでいる、１６．に記載のシステム。
２１．
前記眼鏡は、当該眼鏡の前記状態に関するデータを送信する送信器を含み、前記制御ユニットは、前記眼鏡の前記状態に関する前記データを受信する受信器を含んでいる、２０．に記載のシステム。
２２．
前記第１フィルタ要素は前記ディスプレイ画面のためのフィルタである、１４．に記載のシステム。
２３．
前記第１ビューと前記第２ビューは、異なった偏光を用いて偏光された画像であり、前記第１要素は偏光フィルタを含んでいる、１４．に記載のシステム。
２４．
前記第１ビューと前記第２ビューは、期間を交互して提示され、
前記第１フィルタ要素は、前記第１ビューの期間中は開き、前記第２ビューの期間中は閉じるシャッターを含んでいる、１４．に記載のシステム。
２５．
前記第１ビューと前記第２ビューは異なった色を利用しており、前記第１フィルタ要素は色フィルタを含んでいる、１４．に記載のシステム。
２６．
一連の命令をあらわすデータを記憶したコンピュータ読み取り可能な記録媒体であって、前記命令は、プロセッサによって実行されるとき、当該プロセッサに、
第１ディスプレイ画面上に表示させる複数の画像のためのデータを提供する処理と、
１つ又はそれ以上のフィルタ要素に命令して、前記第１ディスプレイ画面によって投影される複数画像をフィルタリングさせる処理であって、
複数画像のフィルタリングは、１人又はそれ以上のユーザーによる視聴を提供するために前記複数画像を分離することを含み、
前記複数画像の視聴を提供することは、単一画像を前記第１ディスプレイ画面の全視聴者へ提供するための第１設定と、第１画像を第１視聴者へ提供し及び第２画像を第２視聴者へ提供するための第２設定とを含む当該処理と、
を実行させるコンピュータ読み取り可能な記録媒体。
２７．
前記第１設定において提供される前記画像は三次元（３Ｄ）画像であり、前記第２設定において、前記第１画像は第１の二次元（２Ｄ）画像、及び前記第２画像は第２の２Ｄ画像である、２６．に記載のコンピュータ読み取り可能な記録媒体。